(57)【要約】【課題】  通話者相互が関心を持つ共通のイベントに関連する所望の情報を、表示画面を用いずに送話音声、受話音声に重畳して通信できる携帯電話を提供する。【解決手段】  携帯電話は、電話帳記憶手段１３１、音源データを記憶するＢＧＭ記憶手段１３２および／またはメッセージ記憶手段１３３と、音声コーデック３２を備え、電話帳記憶手段１３１に電話番号に対応付けて所望のイベント情報を記憶し、ＢＧＭ記憶手段１３２および／またはメッセージ記憶手段１３３にイベント情報に対応付けて所望の音源データを記憶しておく。通話時に着信または発信電話番号に基づいてイベント情報に合致した通話であることが検出されると、ＢＧＭ記憶手段１３２および／またはメッセージ記憶手段１３３に記憶された音源データに前記イベントに合致した音源データが記憶されている場合、当該音源データを読み出し、音声コーデック３２により通話音声に重畳する。【選択図】        図１
2007116498.tif 000002
【特許請求の範囲】
【請求項１】
電話番号に対応付けて相手方の情報を記憶する電話帳機能を構成する電話帳記憶手段を備えた携帯電話において、
前記携帯電話は、音源データを記憶するＢＧＭ記憶手段またはメッセージ記憶手段と、前記ＢＧＭ記憶手段またはメッセージ記憶手段から読み出した音源データを通話信号に重畳する音声コーデックを備え、
前記電話帳記憶手段に電話番号に対応付けて所望のイベント情報を記憶し、ＢＧＭ記憶手段またはメッセージ記憶手段に前記イベント情報に対応付けて所望の音源データを記憶し、着信または発信電話番号に基づき前記電話帳記憶手段に記憶されたイベント情報に合致した通話であることを検出すると、前記ＢＧＭ記憶手段またはメッセージ記憶手段に記憶された音源データに前記イベントに合致した音源データが記憶されている場合、当該音源データを読み出し、前記音声コーデックにより通話音声に重畳することを特徴とする携帯電話。
【請求項２】
前記イベント情報は、発呼者と被呼者が共通に関心を持つ日付情報であることを特徴とする請求項１に記載の携帯電話。
【請求項３】
前記ＢＧＭ記憶手段に記憶される音源データは、前記イベント情報に応じて利用者が予め記憶した音楽情報であることを特徴とする請求項１または請求項２に記載の携帯電話。
【請求項４】
前記メッセージ記憶手段に記憶される音源データは、前記イベント情報に応じて利用者が予め記憶したメッセージ情報であることを特徴とする請求項１または請求項２に記載の携帯電話。
【請求項５】
前記イベント情報は、特定の日付情報であり、前記メッセージ記憶手段に記憶したメッセージ情報はカウントダウンの音源データであることを特徴とする請求項２に記載の携帯電話。
【発明の詳細な説明】
【技術分野】
【０００１】
本発明は、通話中に表示画面を見ることができない構造である携帯電話に関するものであり、特に、電話帳など被呼者に関する任意の情報を記憶する記憶手段を有する携帯電話において、通話者相互が関心を持つ誕生日や結婚記念日などのイベント情報を記憶するとともに、当該イベントに関連する所望の音源情報を記憶しておき、イベント情報に合致する通話時には関連する音源情報を読み出して、表示画面を用いずに送話音声、受話音声に重畳して通信するようにした携帯電話に関するものである。
【背景技術】
【０００２】
近年の情報処理技術、通信技術の発展に伴い種々の携帯型の情報通信端末装置（以下、携帯端末装置という）が広く普及している。このような携帯端末装置は、利用者が外出先からインターネットなどのネットワークを介して種々サービスを提供する情報配信サーバや所望のウェブサイトに接続して当該サービスを受け、あるいは情報を取得したり、自社のネットワークに接続して業務上必要な情報を取得することができる。
【０００３】
最近では、携帯電話のハード、ソフト機能が充実し、従来の携帯端末装置の機能を兼ねるようになってきており、携帯電話の普及率の拡大にはめざましいものがある。携帯電話を利用したデータ通信サービスを提供する事業者も増加しており、携帯電話を利用してバンキング、インターネット販売、ナビゲーション、交通機関やコンビニエンスストアなどの代金決済など様々なサービスを受けることができるようになってきている。特に携帯電話においては種々のオプションやアプリケーションが搭載可能であり、利用できるサービスの種類も豊富になってきている。
【０００４】
図３は一般的な携帯電話の外観を示す図である。図３に示すように、携帯電話は、液晶表示ユニットなどから構成される表示部８０、操作／入力部９０を備えており、操作／入力部９０にはテンキー９１等と選択キー９２、確定キー９３、入力文字コード変換キーなどの機能キーを備えている。利用者は、表示部８０にメニュー画面を表示しあるいは選択キー９２を操作し携帯電話の所望の機能を選択する。また、テンキー９１から電話番号を入力し、発信キーを操作して所望の相手方に発呼する。
【０００５】
携帯電話の機能が充実するにつれてその利用範囲は拡大しており、特に若年層の利用者においては、本来の通話機能の他に娯楽性を追求した用途や、特殊なサービスを受けることができるアプリケーションなどをインストールして他の利用者が所有する携帯電話と差別化するような利用形態が好まれている。携帯電話に限らず一般の固定電話を利用した通話において、楽しく通話ができるよう通話音声にバックグラウンドミュージック（ＢＧＭ）を流すように構成した電話機も提案されている。
【０００６】
例えば、下記の特許文献１（特開２００２−３４４５７１号公報）には、通話音声にＢＧＭを重畳して発呼者と被呼者で楽しむことができる通話装置が開示されている。この通話装置は、電話機一体型端末機のＣＰＵは、通信部を制御し、通信ネットワークを介して、相手側と通話させる。入力部を構成するマイクロホンより集音された音声信号は、通信部を介して相手側に送信され、相手側から送信されてきた音声信号は、音声再生部を構成するスピーカまたはイヤホンから出力される。
【０００７】
音声再生部のスピーカまたはイヤホンには、メモリカードより再生された音楽信号が、相手側の音声信号に重畳して出力されるように構成されている。これにより、ユーザは、通話中、相手の声を聞くことができるだけでなく、音楽をBGMとして聞くことができる。
【特許文献１】特開２００２−３４４５７１号公報（図４）
【発明の開示】
【発明が解決しようとする課題】
【０００８】
ところで、携帯電話に限らず一般の固定電話を利用して通話中に発呼者側と被呼者側とが共通に関心を持つイベント、例えば、大晦日やお互いの誕生日、結婚記念日などのイベント情報を記憶しておき、イベントに関連する対象に所定の情報、例えば、お祝いのメッセージや所望の画像、カウントダウン画像を通信して電話機の表示部に表示させる機能を提供できれば、利用者の満足度を向上させることができる。
【０００９】
一般の固定電話の場合、前記のようなイベントに関連するお祝いのメッセージや所望の画像、カウントダウン画像情報を電話機の表示部に表示すれば利用者は通話しながら表示部に表示されたメッセージなどの情報を見ることができる。しかしながら、携帯電話の場合その構造上、送話部と表示部が一体に結合されているため利用者は通話中に表示部に表示された画面を見ることができないという問題点がある。
【００１０】
また、上記特許文献１に開示された通話装置によれば、通話音声にＢＧＭなどの他の音源データを重畳することができ、携帯電話にも同様の技術を適用し得るが、この通話装置は被呼者側からの通話音声にＢＧＭを重畳して発呼者が通話音声と重ねてＢＧＭを楽しむ構成であり、発呼者側、被呼者側の双方が同時に通話およびＢＧＭを楽しむことができないという問題点があった。
【００１１】
また、上記特許文献１に開示された通話装置において、通話音声に重畳するＢＧＭなどの音源データはメモリカードなどの外部記憶媒体に蓄積しておき、通話装置に設けたドライブに該メモリカードなどの外部記憶媒体を装着して通話装置に入力するものであり、外部記憶媒体を使用しなければならないという問題点を有していた。
【００１２】
本願の発明者は上記の問題点を解消すべく種々検討を重ねた結果、携帯電話が備えている電話帳機能などに使用される記憶手段を利用して、発呼者と被呼者とが共通に関心を持つ誕生日や結婚記念日などのイベント情報を記憶するとともに、当該イベントに関連する所望の音源情報を記憶しておき、イベント情報に合致する通話時には関連する音源情報を読み出して、表示画面を用いずに送話音声、受話音声に重畳して通信するようになせば上記の問題点を解消し得ることに想到して本発明を完成するに至ったものである。
【００１３】
すなわち、本発明は前記の問題点を解消することを課題とし、携帯電話の通話者相互が関心を持つ共通のイベントに関連する所望の情報を、表示画面を用いずに送話音声、受話音声に重畳して通信できる携帯電話を提供することを目的とするものである。
【課題を解決するための手段】
【００１４】
前記課題を解決するために、本願の請求項１にかかる発明は、
電話番号に対応付けて相手方の情報を記憶する電話帳機能を構成する電話帳記憶手段を備えた携帯電話において、
前記携帯電話は、音源データを記憶するＢＧＭ記憶手段またはメッセージ記憶手段と、前記ＢＧＭ記憶手段またはメッセージ記憶手段から読み出した音源データを通話信号に重畳する音声コーデックを備え、
前記電話帳記憶手段に電話番号に対応付けて所望のイベント情報を記憶し、ＢＧＭ記憶手段またはメッセージ記憶手段に前記イベント情報に対応付けて所望の音源データを記憶し、着信または発信電話番号に基づき前記電話帳記憶手段に記憶されたイベント情報に合致した通話であることを検出すると、前記ＢＧＭ記憶手段またはメッセージ記憶手段に記憶された音源データに前記イベントに合致した音源データが記憶されている場合、当該音源データを読み出し、前記音声コーデックにより通話音声に重畳することを特徴とする。
【００１５】
また、本願の請求項２にかかる発明は、請求項１にかかる携帯電話において、前記イベント情報は、発呼者と被呼者が共通に関心を持つ日付情報であることを特徴とする。
【００１６】
また、本願の請求項３にかかる発明は、請求項１または請求項２にかかる携帯電話において、前記ＢＧＭ記憶手段に記憶される音源データは、前記イベント情報に応じて利用者が予め記憶した音楽情報であることを特徴とする。
【００１７】
また、本願の請求項４にかかる発明は、請求項１または請求項２にかかる携帯電話において、前記メッセージ記憶手段に記憶される音源データは、前記イベント情報に応じて利用者が予め記憶したメッセージ情報であることを特徴とする。
【００１８】
また、本願の請求項５にかかる発明は、請求項２にかかる携帯電話において、前記イベント情報は、特定の日付情報であり、前記メッセージ記憶手段に記憶したメッセージ情報はカウントダウンの音源データであることを特徴とする。
【発明の効果】
【００１９】
請求項１にかかる発明においては、携帯電話は、電話帳記憶手段、音源データを記憶するＢＧＭ記憶手段またはメッセージ記憶手段と、音声コーデックを備え、電話帳記憶手段に電話番号に対応付けて所望のイベント情報を記憶し、ＢＧＭ記憶手段またはメッセージ記憶手段にイベント情報に対応付けて所望の音源データを記憶しておく。通話時に着信または発信電話番号に基づいて、イベント情報に合致した通話であることが検出されると、ＢＧＭ記憶手段またはメッセージ記憶手段に記憶された音源データに前記イベントに合致した音源データが記憶されている場合、当該音源データを読み出し、音声コーデック３２により通話音声に重畳する。
【００２０】
携帯電話をこのように構成すれば、発呼者と被呼者が共通に関心を持つイベントを電話番号に対応付けて登録し、そのイベントに応じた所望の音楽あるいはメッセージを記憶しておけば、当該イベントに合致した通話の際に、通話音声にイベントに応じた所望の音楽あるいはメッセージを通話音声に重畳することができる。従って、表示手段を用いることなく通話しながら、発呼者と被呼者双方がイベントに応じた音楽、メッセージ等を聞くことができるようになる。
【００２１】
また、請求項２にかかる発明においては、請求項１にかかる携帯電話において、イベント情報は、発呼者と被呼者が共通に関心を持つ日付情報である。従って、利用者はお互いに共通の関心を持つ誕生日やその他の記念日をイベント情報として登録しておき、当該イベントに応じた所望の音楽あるいはメッセージを通話音声に重畳することができ、表示手段を用いることなく通話しながら、発呼者と被呼者双方がイベントに応じた音楽、メッセージ等を聞くことができるようになる。
【００２２】
また、請求項３にかかる発明においては、請求項１または請求項２にかかる携帯電話において、ＢＧＭ記憶手段に記憶される音源データは、前記イベント情報に応じて利用者が予め記憶した音楽情報である。従って、利用者はお互いに共通の関心を持つ誕生日やその他の記念日をイベント情報として登録しておき、当該イベントに応じた所望の音楽あるいはメッセージを通話音声に重畳することができ、表示手段を用いることなく通話しながら、発呼者と被呼者双方がイベントに応じた音楽を聞くことができるようになる。
【００２３】
また、請求項４にかかる発明においては、請求項１または請求項２にかかる携帯電話において、メッセージ記憶手段に記憶される音源データは、前記イベント情報に応じて利用者が予め記憶したメッセージ情報である。従って、利用者はお互いに共通の関心を持つ誕生日やその他の記念日をイベント情報として登録しておき、当該イベントに応じた所望のメッセージを通話音声に重畳することができ、表示手段を用いることなく通話しながら、発呼者と被呼者双方がイベントに応じたメッセージを聞くことができるようになる。
【００２４】
また、請求項５にかかる発明においては、請求項２にかかる携帯電話において、前記イベント情報は、特定の日付情報であり、前記メッセージ記憶手段に記憶したメッセージ情報はカウントダウンの音源データである。従って、利用者はイベント情報として大晦日などの特定の日付を登録しておき、当該イベントに該当する通話時に、時間の経過とともにメッセージとしてカウントダウンのカウント音声を順次、通話信号に重畳することができ、表示手段を用いることなく通話しながら、発呼者と被呼者双方がカウントダウン音声を聞くことができるようになる。
【発明を実施するための最良の形態】
【００２５】
以下、本発明の具体例を実施例及び図面を用いて詳細に説明する。但し、以下に示す実施例は、本発明の技術思想を具体化するための携帯電話を例示するものであって、本発明をこの携帯電話に特定することを意図するものではなく、特許請求の範囲に含まれるその他の実施形態の携帯電話にも等しく適用し得るものである。
【実施例１】
【００２６】
本発明の実施例１にかかる携帯電話Ｔは図１に示すように、通信部１、アンテナ２、ベースバンド部３、スピーカ（耳あて用）４、増幅回路５、７、９、マイクロホン６、スピーカ８、切替回路１０、制御回路１１、ＲＯＭ１２、ＲＡＭ１３、表示部１４、入力部１５、音声合成回路１６などから構成されている。
【００２７】
通信部１は後述のベースバンド部３からの信号を、アンテナ２を介して基地局へ発信したり、アンテナ２を介して基地局からの電波を受信したりする。
【００２８】
ベースバンド部３はCＤＭＡ処理回路３１と音声コーデック３２を有する。CＤＭＡ処理回路３１は符号分割多元接続、スクランブル、誤り制御、タイミング検出を行う。音声コーデック３２は音声を圧縮（符号化）・伸張（復号化）したり、アナログとディジタルの変換を行ったり、内部の増幅回路（図示せず）により受話音量やマイクロホンの感度を変更する。
【００２９】
スピーカ４は耳にあてて通話に使用されるスピーカであり、増幅回路５で増幅されたベースバンド部３の電気信号を音声に変換する。マイクロホン６は通話に使用されるマイクロホンであり、音声を電気信号に変換する。増幅回路７はマイクロホン６の出力を増幅してベースバンド部３に出力する。
【００３０】
スピーカ８は通話を周囲の人に聞かせるためのスピーカであり、耳用のスピーカ４が配設される面の背面に配設される。このスピーカ８は増幅回路９で増幅されたベースバンド部３の電気信号を音声に変換する。また、スピーカ８は着信報知の鳴動を行う。
【００３１】
切替回路１０は、３つの夫々の増幅回路５、７、９、とベースバンド部３との接続を後述する切替回路１０の制御によりＯＮ／ＯＦＦする。尚、これら３つの増幅回路５、７、９はゲインを固定しており、受話音量やマイクロホンの感度を変更することはできない。受話音量やマイクロホンの感度の変更は制御回路１１の制御によりベースバンド部３の音声コーデック３２が行う。
制御回路１１はマイクロプロセッサからなる制御回路であり、ＲＯＭ１２に記憶されたプログラムに基づき各部を制御する。ＲＡＭ１３には制御回路１１の動作に必要な情報である電話帳１３１、ＢＧＭ（バックグラウンドミュージック）１３２やメッセージ１３３が記憶される。電話帳１３１には氏名、電話番号、メールアドレス、住所、誕生日、血液型などの個人情報が記憶可能である。
【００３２】
利用者はこの電話帳１３１に、所望の通話相手について相互に共通の関心を有するイベント、例えば、上記誕生日の他、結婚記念日や大晦日などの日付情報をイベント情報として登録、記憶するようにされている。ＢＧＭ１３２には利用者が前記のようにして登録したイベント情報に関連して、当該イベントに該当する日時の通話において、相互に音声として通信したいと希望する所望の音源情報、例えば誕生日、結婚の祝いに関連づけた音楽が記憶されている。メッセージ１３３には同様に、誕生日、結婚の祝いに関連づけた文字または音声などの音源情報が記憶されている。
【００３３】
表示部１４は、液晶パネルなどから構成される表示部であり、電話番号や、日付に対応した表示情報を表示する。入力部１５は、電話番号の入力等を行うテンキー１５１、発呼及び通話の開始等を操作する通話キー１５２、通話の終了等を操作する終話キー１５３、電話帳の登録・検索を操作する電話帳キー１５４、メールの発信・受信の操作を行うメールキー１５５と、入力モードを切替える入力モードキー１５６を有する。音声合成回路１６は音声合成回路であり、制御回路１１の制御によりメッセージ１３３の情報を音声に変換する。
【００３４】
利用者がある被呼者と通話するため被呼者の電話番号をテンキー１５１から入力し、あるいは電話帳１３１を呼び出して表示し、相手方の電話番号を選択入力し、通話キー１５２を操作して発呼すると、制御回路１１は電話帳１３１を参照し、通話当日が被呼者に登録されたイベント情報、すなわち、誕生日や結婚記念日に該当するかを判断する。登録されているイベント情報に合致する場合、ＢＧＭ１３２、あるいは、メッセージ１３３に被呼者別、イベント別に記憶されている音源データを読み出して通話音声に重畳する。
【００３５】
音声合成回路１６は制御回路１１の制御によりメッセージ１３３の情報を音声に変換する。メッセージ１３３に記憶する音源データは、アナログ音声データを記憶してもよく、テキストデータなどのデジタルデータとして記憶してもよい。メッセージ１３３に記憶されたメッセージがデジタルデータとして記憶されている場合には、音声合成回路１６はメッセージ１３３に記憶されたデジタルデータを、制御回路１１の制御によりアナログ音声データに音声合成する。音声合成回路１６によって音声合成された音声信号は、音声コーデック３２によりマイクロホン６からの通話音声、通信部１を介して受信した被呼者側の通話音声に重畳され、発呼者側、被呼者側双方が通話信号に重畳されたメッセージを聞くことができる。
【００３６】
ＢＧＭ１３２には音楽などの音源データが被呼者電話番号別、イベント情報別に記憶されており、イベントに対応する音源データがＢＧＭ１３２に記憶されている場合は、ＢＧＭ１３２から読み出された音源データが、音声コーデック３２によりマイクロホン６からの通話音声、通信部１を介して受信した被呼者側の通話音声に重畳され、発呼者側、被呼者側双方が通話信号に重畳されたＢＧＭを聞くことができる。
【００３７】
このような構成にすると、電話帳１３１に大晦日を発呼者、被呼者の共通のイベントとして登録しておき、メッセージ１３３にはカウントダウンのためのデータを記憶しておき、大晦日の２４時少し前に被呼者に電話をかけると、通話にカウントダウンメッセージが重畳される。この場合、図示せざる携帯電話の時計回路を利用し、登録イベントの時間的判断もでき、また、時間の経過とともにメッセージとしてカウントダウンのカウント音声を順次、通話信号に重畳する制御を行うことも可能になる。
【００３８】
図２は、以上説明した本発明にかかる携帯電話の動作手順を示すフローチャートである。ステップＳ１０の処理において、利用者がある被呼者と通話するため被呼者の電話番号をテンキー１５１から入力し、あるいは電話帳１３１を呼び出して表示し、相手方の電話番号を選択入力する。ステップＳ１１の処理において利用者により通話キー１５２が操作されると、制御回路１１は電話帳１３１を参照し、通話当日が被呼者に登録されたイベント情報を検出する。
【００３９】
イベント情報は先に述べたように電話帳１３１に被呼者の電話番号に対応付けて記憶されており、被呼者の誕生日など発呼者、被呼者が共通の関心を有する特定の日の情報である。制御回路１１がステップＳ１２の処理において電話帳１３１を参照してイベント情報を検出すると、ステップＳ１３の処理において図示せざる時計回路の日時に基づいて、登録されたイベント情報に合致するか否かを判定する。日時がイベント情報に合致すると判定されるとステップＳ１４の処理に進む。
【００４０】
ステップＳ１３の処理において登録されたイベント情報と合致しないと判定された場合、制御回路１１はステップＳ１５の処理に進み、回線接続がなされるとステップＳ１６の処理において通話を開始する。この処理は通常の通話処理である。
【００４１】
ステップＳ１３の処理において登録されたイベント情報に合致することが検出されると、ステップＳ１４の処理に進み、制御回路１１はＢＧＭ１３２またはメッセージ１３３に当該イベントに対応する音源データが記録されているかを判定する。対応する音源データが記録されていなければ、ステップＳ１５の処理に進み通常の通話が行われる。
【００４２】
ステップＳ１４の処理においてＢＧＭ１３２またはメッセージ１３３に当該イベントに対応する音源データが記録されていると判定されると、ステップＳ１７の処理において制御回路１１はＢＧＭ１３２またはメッセージ１３３から該当する音源データを読み出す。ステップＳ１８の処理において回線接続がなされると、ステップＳ１９の処理において音声コーデック３２により通話信号にＢＧＭ１３２またはメッセージ１３３から読み出した音源データを重畳する。音源データがデジタルデータの場合は音声合成回路１６によりアナログ音声信号の合成が行われる。
【００４３】
このように、利用者は発呼者と被呼者が共通に関心を持つイベントを電話番号に対応付けて登録し、そのイベントに応じた所望の音楽あるいはメッセージを記憶しておけば、当該イベントに合致した通話の際に、通話音声にイベントに応じた所望の音楽あるいはメッセージを通話音声に重畳することができる。従って表示手段を用いることなく通話しながら、発呼者と被呼者双方がイベントに応じた音楽、メッセージ等を聞くことができるようになる。
【００４４】
通話が終了し、ステップＳ２０の処理において終話キーが操作されるとステップＳ２１の処理において回線切断して処理を終了する。
【００４５】
なお、上記実施例においては、利用者が所望の相手方に発信した場合を例に本発明を説明したが、着信時に本発明を適用することもできる。この場合には、着信信号から発信元の相手方電話番号を検出してイベント情報に合致した通話であることを検出すればよい。また、上記実施例においては、電話帳１３１、ＢＧＭ１３２、メッセージ１３３はＲＡＭ１３中にそれぞれ個別の領域を設けた例を説明したが、電話帳１３１の記憶領域にＢＧＭやメッセージの音源データを記憶するように構成してもよい。更にまた、本実施例の機能を有効にするか、無効にするかを利用者が設定できるように構成することもできる。
【００４６】
以上、説明したように本発明によれば、表示画面にメッセージを表示することなく、あるいは、表示画面を見ることなく、発呼者、被呼者が共通に関心を持つイベントに関する音声を通話音声に重畳して通信することができるようになる。
【図面の簡単な説明】
【００４７】
【図１】本発明の実施例にかかる携帯電話の構成を示すブロック図である。
【図２】図１の携帯電話における動作手順を示すフローチャートである。
【図３】一般的な携帯電話の外観を示す図である。
【符号の説明】
【００４８】
１・・・・通信部
２・・・・アンテナ
３・・・・ベースバンド部
３１・・・CＤＭＡ処理回路
３２・・・音声コーデック
４・・・・スピーカ（耳あて用）
５、７、９・・・・増幅回路
６・・・・マイクロホン
８・・・・スピーカ
１０・・・切替回路
１１・・・制御回路
１２・・・ＲＯＭ
１３・・・ＲＡＭ
１３１・・住所録
１３２・・ＢＧＭ（バックグラウンドミュージック）
１３３・・メッセージ
１４・・・表示部
１５・・・入力部
１５１・・テンキー
１５２・・通話キー
１５３・・終話キー
１５４・・電話帳キー
１５５・・メールキー
１５６・・入力モードキー
１６・・・音声合成回路
【図１】
2007116498.tif 000003
【図２】
2007116498.tif 000004
【図３】
2007116498.tif 000005